(57)【要約】  携帯放送サービスをサポートする携帯放送システムにおけるサービスガイド又はサービスガイドフラグメントを共有する方法及びシステムが提供される。放送サービス供給クライアント（ＢＳＰ-Ｃ）は、上記サービスガイド又はサービスガイドフラグメントに対する要請を放送サービス供給管理部（ＢＳＰ-Ｍ）に送信する。上記ＢＳＰ-Ｍが上記サービスガイド又はサービスガイドフラグメントを有する場合に、上記ＢＳＰ-Ｍは、上記サービスガイド又はサービスガイドフラグメントを上記ＢＳＰ-Ｃに送信する。
2009525668.tif 000002
【特許請求の範囲】
【請求項１】
携帯放送サービスをサポートする携帯放送システムにおけるサービスガイド又はサービスガイドフラグメントを共有する方法であって、
サービスガイド生成部（ＳＧ-Ｇ）がサービスガイド伝達メッセージをサービスガイド加入ソース部（ＳＧＳＳ）に送信するステップと、
前記ＳＧＳＳが前記サービスガイド伝達メッセージに対する応答メッセージを前記ＳＧ-Ｇに送信するステップと、を具備し、
前記サービスガイド伝達メッセージは、サービスガイドフラグメントを含むことを特徴とする方法。
【請求項２】
前記サービスガイド伝達メッセージは、サービスガイド伝達ＩＤ及びＢＣＡＳＴサービス分配／適応（ＢＳＤ／Ａ）アドレスをさらに含むことを特徴とする請求項１に記載の方法。
【請求項３】
前記応答メッセージは、サービスガイド伝達ＩＤを含むことを特徴とする請求項１に記載の方法。
【請求項４】
前記サービスガイド伝達ＩＤは、サービスガイド伝達の状態コードを明示するための応答を含むことを特徴とする請求項３に記載の方法。
【請求項５】
携帯放送サービスをサポートする携帯放送システムにおけるサービスガイド又はサービスガイドフラグメントを共有する方法であって、
サービスガイド生成部（ＳＧ-Ｇ）がサービスガイド要請メッセージをサービスガイド加入ソース部（ＳＧＳＳ）に送信するステップと、
前記ＳＧＳＳが前記サービスガイド要請メッセージに対する応答メッセージを前記ＳＧ-Ｇに送信するステップと、を具備し、
前記応答メッセージは、サービスガイドフラグメントを含むことを特徴とする方法。
【請求項６】
前記サービスガイド要請メッセージは、サービスガイド要請ＩＤ及びエンティティアドレスを含むことを特徴とする請求項１に記載の方法。
【請求項７】
前記サービスガイド要請メッセージは、グローバルサービスＩＤ、グローバルコンテンツＩＤ、及び購入アイテムＩＤをさらに含むことを特徴とする請求項６に記載の方法。
【請求項８】
前記応答メッセージは、サービスガイド要請ＩＤをさらに含むことを特徴とする請求項１に記載の方法。
【請求項９】
前記サービスガイド要請ＩＤは、サービスガイド伝達の状態コードを明示するための応答を含むことを特徴とする請求項８に記載の方法。
【請求項１０】
携帯放送サービスをサポートする携帯放送システムにおけるサービスガイド又はサービスガイドフラグメントを共有する方法であって、
放送サービス供給クライアント（ＢＳＰ-Ｃ）が前記サービスガイド又はサービスガイドフラグメントに対する要請を放送サービス供給管理部（ＢＳＰ-Ｍ）に送信するステップと、
前記ＢＳＰ-Ｍが前記サービスガイド又はサービスガイドフラグメントを前記ＢＳＰ-Ｃに送信するステップと、
を具備することを特徴とする方法。
【請求項１１】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項１０に記載の方法。
【請求項１２】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを特徴とする請求項１０に記載の方法。
【請求項１３】
携帯放送サービスをサポートする携帯放送システムにおけるサービスガイド又はサービスガイドフラグメントを共有する方法であって、
放送サービス供給クライアント（ＢＳＰ-Ｃ）が前記サービスガイド又はサービスガイドフラグメントに対する要請を放送サービス供給管理部（ＢＳＰ-Ｍ）に送信するステップと、
前記ＢＳＰ-Ｍが前記サービスガイド又はサービスガイドフラグメントに対する要請を同一のＢＣＡＳＴ加入管理（ＢＳＭ）ブロック内のサービスガイド加入ソース部（ＳＧＳＳ）に送信するステップと、
前記ＳＧＳＳが対応するサービスガイド又はサービスガイドフラグメントを前記ＢＳＰ-Ｍに送信するステップと、
前記ＢＳＰ-Ｍが前記サービスガイド又はサービスガイドフラグメントを前記ＢＳＰ-Ｃに送信するステップと、
を具備することを特徴とする方法。
【請求項１４】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項１３に記載の方法。
【請求項１５】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを特徴とする請求項１３に記載の方法。
【請求項１６】
携帯放送サービスをサポートする携帯放送システムにおけるサービスガイド又はサービスガイドフラグメントを共有する方法であって、
放送サービス供給クライアント（ＢＳＰ-Ｃ）が前記サービスガイド又はサービスガイドフラグメントに対する要請をＢＣＡＳＴ加入管理（ＢＳＭ）ブロックの放送サービス供給管理部（ＢＳＰ-Ｍ）に送信するステップと、
前記ＢＳＰ-Ｍが前記サービスガイド又はサービスガイドフラグメントに対する要請を同一のＢＳＭブロック内のサービスガイド加入ソース部（ＳＧＳＳ）に送信するステップと、
前記ＳＧＳＳが対応するサービスガイド又はサービスガイドフラグメントに対する要請をサービスガイド生成部（ＳＧ-Ｇ）に送信するステップと、
前記サービスガイド又はサービスガイドフラグメントを前記ＳＧＳＳに送信するステップと、
前記ＳＧＳＳが前記サービスガイド又はサービスガイドフラグメントを前記ＢＳＰ-Ｍに送信するステップと、
前記ＢＳＰ-Ｍが前記サービスガイド又はサービスガイドフラグメントを前記ＢＳＰ-Ｃに送信するステップと、
を具備することを特徴とする方法。
【請求項１７】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項１６に記載の方法。
【請求項１８】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを特徴とする請求項１６に記載の方法。
【請求項１９】
携帯放送サービスをサポートする携帯放送システムにおけるサービスガイド又はサービスガイドフラグメントを共有するシステムであって、
サービスガイド伝達メッセージをサービスガイド加入ソース部（ＳＧＳＳ）に送信するサービスガイド生成部（ＳＧ-Ｇ）と、
前記サービスガイド伝達メッセージに対する応答メッセージを前記ＳＧ-Ｇに送信する前記ＳＧＳＳと、を具備し、
前記サービスガイド伝達メッセージは、サービスガイドフラグメントを含むことを特徴とするシステム。
【請求項２０】
前記サービスガイド伝達メッセージは、サービスガイド伝達ＩＤ及びＢＣＡＳＴサービス分配／適応（ＢＳＤ／Ａ）アドレスをさらに含むことを特徴とする請求項１９に記載のシステム。
【請求項２１】
前記応答メッセージは、サービスガイド伝達ＩＤを含むことを特徴とする請求項１９に記載のシステム。
【請求項２２】
前記サービスガイド伝達ＩＤは、サービスガイド伝達の状態コードを明示するための応答を含むことを特徴とする請求項２１に記載のシステム。
【請求項２３】
携帯放送サービスをサポートする携帯放送システムにおけるサービスガイド又はサービスガイドフラグメントを共有するシステムであって、
サービスガイド要請メッセージをサービスガイド加入ソース部（ＳＧＳＳ）に送信するサービスガイド生成部（ＳＧ-Ｇ）と、
前記サービスガイド要請メッセージに対する応答メッセージを前記ＳＧ-Ｇに送信する前記ＳＧＳＳと、を具備し、
前記応答メッセージは、サービスガイドフラグメントを含むことを特徴とするシステム。
【請求項２４】
前記サービスガイド要請メッセージは、サービスガイド要請ＩＤ及びエンティティアドレスを含むことを特徴とする請求項２３に記載のシステム。
【請求項２５】
前記サービスガイド要請メッセージは、グローバルサービスＩＤ、グローバルコンテンツＩＤ、及び購入アイテムＩＤをさらに含むことを特徴とする請求項２４に記載のシステム。
【請求項２６】
前記応答メッセージは、サービスガイド要請ＩＤをさらに含むことを特徴とする請求項２３に記載のシステム。
【請求項２７】
前記サービスガイド要請ＩＤは、サービスガイド伝達の状態コードを明示するための応答を含むことを特徴とする請求項２６に記載のシステム。
【請求項２８】
携帯放送サービスをサポートする携帯放送システムにおけるサービスガイド又はサービスガイドフラグメントを共有するシステムであって、
前記サービスガイド又はサービスガイドフラグメントに対する要請を放送サービス供給管理部（ＢＳＰ-Ｍ）に送信する放送サービス供給クライアント（ＢＳＰ-Ｃ）と、
前記サービスガイド又はサービスガイドフラグメントを前記ＢＳＰ-Ｃに送信する前記ＢＳＰ-Ｍと、
を含むことを特徴とするシステム。
【請求項２９】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項２８に記載のシステム。
【請求項３０】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを特徴とする請求項２８に記載のシステム。
【請求項３１】
携帯放送サービスをサポートする携帯放送システムにおけるサービスガイド又はサービスガイドフラグメントを共有するシステムであって、
前記サービスガイド又はサービスガイドフラグメントに対する要請を放送サービス供給管理部（ＢＳＰ-Ｍ）に送信する放送サービス供給クライアント（ＢＳＰ-Ｃ）と、
前記サービスガイド又はサービスガイドフラグメントに対する要請を同一のＢＣＡＳＴ加入管理（ＢＳＭ）ブロック内のサービスガイド加入ソース部（ＳＧＳＳ）に送信する前記ＢＳＰ-Ｍと、
対応するサービスガイド又はサービスガイドフラグメントを前記ＢＳＰ-Ｍに送信する前記ＳＧＳＳと、を具備し、
前記ＢＳＰ-Ｍは、前記サービスガイド又はサービスガイドフラグメントを前記ＢＳＰ-Ｃに送信することを特徴とするシステム。
【請求項３２】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項３１に記載のシステム。
【請求項３３】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを特徴とする請求項３１に記載のシステム。
【請求項３４】
携帯放送サービスをサポートする携帯放送システムにおけるサービスガイド又はサービスガイドフラグメントを共有するシステムであって、
前記サービスガイド又はサービスガイドフラグメントに対する要請をＢＣＡＳＴ加入管理（ＢＳＭ）ブロックの放送サービス供給管理部（ＢＳＰ-Ｍ）に送信する放送サービス供給クライアント（ＢＳＰ-Ｃ）と、
前記サービスガイド又はサービスガイドフラグメントに対する要請を同一のＢＳＭブロック内のサービスガイド加入ソース部（ＳＧＳＳ）に送信する前記ＢＳＰ-Ｍと、
対応するサービスガイド又はサービスガイドフラグメントに対する要請をサービスガイド生成部（ＳＧ-Ｇ）に送信する前記ＳＧＳＳと、
前記サービスガイド又はサービスガイドフラグメントを前記ＳＧＳＳに送信する前記ＳＧ-Ｇと、を具備し、
前記ＳＧＳＳは、前記サービスガイド又はサービスガイドフラグメントを前記ＢＳＰ-Ｍに送信し、前記ＢＳＰ-Ｍは、前記サービスガイド又はサービスガイドフラグメントを前記ＢＳＰ-Ｃに送信することを特徴とするシステム。
【請求項３５】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-７インターフェースを介して送信されることを特徴とする請求項３４に記載のシステム。
【請求項３６】
前記ＢＳＰ-Ｃと前記ＢＳＰ-Ｍとの間の前記サービスガイドフラグメントを要請するための要請メッセージ及び前記サービス情報要請に対する応答メッセージは、サービス供給（ＳＰ）-８インターフェースを介して送信されることを含むことを特徴とする請求項３４に記載のシステム。
【発明の詳細な説明】
【技術分野】
【０００１】
本発明は、携帯放送システムに関し、特に、携帯放送システムにおけるサービスガイド又はサービスガイドフラグメントを共有する方法及びシステムに関する。 
【背景技術】
【０００２】
移動通信市場では、既存技術の再構成又は統合を通じて新たなサービスの生産が持続的に要求されている。現在の通信及び放送技術の発達は、従来の放送システム及び移動通信システムにおいて、携帯電話、ＰＤＡ（Personal Digital Assistant）のような携帯端末（移動端末）を通じて放送サービスを提供している。このような潜在的で実際的な市場需要とマルチメディアサービスに対して急増するユーザの要求、既存の音声サービスの他に放送サービスのような新たなサービスを提供するためのサービスプロバイダーの目標戦略、及びユーザの要求を受け入れて移動通信事業を強化しているＩＴ（Information Technology）企業の利害関係のため、移動通信サービスとインターネットプロトコル（ＩＰ）との融合は、次世代移動通信技術の開発において優先度が高くなっている。
【０００３】
オープンモバイルアライアンス（Open Mobile Alliance：以下、“ＯＭＡ”と称する。）は、個別モバイルソリューション（mobile solution）間の相互連動のための標準を研究するグループであり、移動通信用ゲーム、インターネットサービスなどに関する様々なアプリケーション標準を定める役割を主に担当している。特に、ＯＭＡに属するワーキンググループの中で、ＯＭＡ  ＢＡＣ（Browser and Content）ＢＣＡＳＴ（Mobile Broadcast Sub Working Group）は、移動端末を用いて放送サービスを提供するための技術を研究している。
【０００４】
携帯放送システムにおいて、放送サービスを受信するための移動端末は、サービス自体に関する説明情報と、サービスに関する課金情報と、サービスの受信方法に関する情報と、を含むサービスガイド情報を受信しなければならない。上記移動端末は、上記サービスガイド情報を用いて対応するサービスを受信する。
【０００５】
以下、携帯放送技術の標準の１つであるＯＭＡ ＢＣＡＳＴ技術を参照して従来の技術及び本発明を説明しているが、これは、本発明の内容を限定するものではない。
【０００６】
図１は、サービスガイドを移動端末に伝達する一般的な携帯放送システムの構成例を示す。下記の＜表１＞及び＜表２＞は、図１の構成要素（例えば、論理エンティティ）間で使用されるインターフェースを示す。
【０００７】
【表１】
2009525668.tif 000003
【０００８】
【表２】
2009525668.tif 000004
【０００９】
図１を参照すると、コンテンツ供給者（Content Creation：ＣＣ）ブロック１０１は、放送サービス（以下、“ＢＣＡＳＴサービス”と称する。）のプロバイダーであり、ＢＣＡＳＴサービスは、従来の音声／映像放送サービス、ファイル（音楽ファイル又はデータファイル）ダウンロードサービスなどを含むことができる。コンテンツ供給者１０１は、サービスガイドコンテンツ供給ソース（Service Guide Content Creation Source：以下、“ＳＧＣＣＳ”と称する。）部１０２を用いて、ＢＣＡＳＴサービスのサービスガイドを生成するために必要なコンテンツ情報、移動端末の性能情報、ユーザプロフィール、及びコンテンツタイム情報を、上記＜表１＞に定義されたＳＧ-１インターフェース１０３を介してＢＣＡＳＴサービスアプリケーション（ＢＳＡ）ブロック１０４のサービスガイドアプリケーションソース（Service Guide Application Source：以下、“ＳＧＡＳ”と称する。）部１０５に伝達する。
【００１０】
ＢＣＡＳＴサービスアプリケーションブロック１０４は、コンテンツ供給者ブロック１０１から提供されたＢＣＡＳＴサービスのデータをＢＣＡＳＴネットワークに適合した形態に処理することにより、ＢＣＡＳＴサービスデータの生成を担当する。また、ＢＣＡＳＴサービスアプリケーションブロック１０４は、携帯放送ガイドに必要な標準化メタデータの生成を担当する。
【００１１】
ＳＧＡＳ部１０５は、ＳＧＣＣＳ部１０２から提供された情報を含むサービス／コンテンツ詳細情報、スケジュール情報、及び位置情報などのようなサービスガイドの生成に必要な各種ソースを、ＳＧ-２インターフェース１０６を介してＢＣＡＳＴサービス分配／適応ブロック１０８のサービスガイド生成（Service Guide Generation：以下、“ＳＧ-Ｇ”と称する。）部１０９に伝達する。
【００１２】
ＢＣＡＳＴサービス分配／適応（ＢＳＤ／Ａ）ブロック１０８は、ＢＣＡＳＴサービスアプリケーションブロック１０４から提供されたＢＣＡＳＴサービスデータを送信するベアラを設定する役割、ＢＣＡＳＴサービスの送信スケジュールを決定する役割、及び携帯放送ガイド情報を生成する役割を担当する。ＢＣＡＳＴサービス分配／適応ブロック１０８は、ＢＣＡＳＴサービスデータを送信するためのネットワークである放送分配システム（Broadcast Distribution System：以下、“ＢＤＳ”と称する。）１２２及び双方向通信をサポートする双方向ネットワーク（interaction network）１２３に接続される。
【００１３】
ＳＧ-Ｇ部１０９によって生成されたサービスガイドは、サービスガイド分配（SG Distribution：以下、“ＳＧ-Ｄ”と称する。）部１１０及びＳＧ-５インターフェース１１７を介して端末（すなわち、移動端末）１１９に伝達される。ＢＤＳ１２２又は双方向通信をサポートする双方向ネットワーク１２３を介してサービスガイドを伝達するか、又は対応するシステム又はネットワークとの整合が必要である場合には、ＳＧ-Ｇ部１０９によって生成されたサービスガイドは、サービスガイド適応（SG Adaptation：以下、“ＳＧ-Ａ”と称する。）部１１１で整合された後に、ＳＧ-Ｄ部１１０に伝達されるか、又はＳＧ-Ｂ１インターフェース１１６を介してＢＤＳサービス分配ブロック１２１に伝達される。
【００１４】
ＢＣＡＳＴ加入管理（ＢＳＭ）ブロック１１３は、ＢＣＡＳＴサービスの受信のための加入情報とサービス提供情報、及びＢＣＡＳＴサービスを受信する移動端末に関する装置情報を管理する。ＢＣＡＳＴ加入管理ブロック１１３のサービスガイド加入ソース（Service Guide Subscription Source：以下、“ＳＧＳＳ”と称する。）部１１４は、サービスガイドの生成に必要な、加入／供給（provisioning）に関連したソース、購入情報、及び広告関連情報などのようなソースをＳＧ-４インターフェース１１５を介してサービスガイドを生成するためのＳＧ-Ｇ部１０９に伝達する。
【００１５】
ＢＤＳサービス分配ブロック１２１は、受信されたすべてのＢＣＡＳＴサービスを放送チャネル又は双方向チャネル（interaction channel）を介して分配する役割を遂行し、ＢＤＳ１２２のタイプに基づいて存在することもあり、存在しないこともあるエンティティである。ＢＤＳ１２２は、ＢＣＡＳＴサービスを送信するネットワークであり、ＤＶＢ-Ｈ（Digital Video Broadcasting-Handheld）、３ＧＰＰ基盤ＭＢＭＳ（Multimedia Broadcast and Multicast Services）、３ＧＰＰ２基盤ＢＣＭＣＳ（Broadcast and Multicast Services）のような放送ネットワークとなることができる。双方向ネットワーク１２３は、ポイントツーポイントにＢＣＡＳＴサービスを送信するか、又はＢＣＡＳＴサービスの受信に関連した制御情報及び付加情報を双方向に交換し、例えば、既存のセルラーネットワークとなることができる。
【００１６】
端末１１９は、ＢＣＡＳＴサービスを受信することができる装置であり、端末の性能に従ってセルラーネットワークに接続することができる機能を有する。サービスガイドクライアント（Service Guide Client：以下、“ＳＧ-Ｃ”と称する。）１２０を含む端末１１９は、ＳＧ-５インターフェース１１７を介して送信されるサービスガイドを受信するか、又はＳＧ-６インターフェース１１８を介して送信されるサービスガイドを受信することにより、ＢＣＡＳＴサービスの受信のための適切な動作を遂行する。
【００１７】
下記の＜表３＞乃至＜表５＞は、ＯＭＡ ＢＣＡＳＴサービスの標準で図１の主な論理エンティティについて簡単に説明する。
【００１８】
携帯放送システムにおいて、ＳＧ-Ｇ１０９は、ＣＣ１０１、ＢＳＡ１０４、及びＢＳＭ１１３から提供されたサービスガイドの生成に必要な情報を受信する。上記提供された情報を用いて、ＳＧ-Ｇ１０９は、図１で説明したデータモデルに基づいて最終のサービスガイドを生成する。
【００１９】
このようなサービスガイドに関する情報が移動端末からＢＳＭ１１３に送信したサービスガイド関連情報の要請に対する応答であるが、ＢＳＡ１０４は、サービスの課金情報の生成に関する基本情報として、ＢＳＭ１１３及びＢＳＡ１０４により同一の方式で生成されたサービスガイドに関する最終情報を必要とする。これに対して、ＢＳＤ／Ａ１０８が生成されたサービスガイドをＢＳＭ１１３及びＢＳＡ１０４に提供するか、又は、必要であれば、ＢＳＭ１１３又はＢＳＡ１０４がサービスガイド情報に対する要請をＢＳＤ／Ａ１０８に送信することができ、対応する情報を受信することができる方法が必要である。また、サービス供給過程において、移動端末から価格情報に対する要請を受信する際に、関連した購入情報のサービスガイドフラグメントを提供する必要がある場合には、ＢＳＭ１１３は、対応する情報を移動端末に直接に送信するか、又は対応する情報をＢＳＤ／Ａ１０８から受信し、この受信された情報を移動端末に送信することができなければならない。
【発明の開示】
【発明が解決しようとする課題】
【００２０】
したがって、本発明は、上述した従来技術の問題点を解決するために提案されたものであり、その目的は、携帯放送システムにおける移動端末にサービス／コンテンツに関するスケジュール情報、接続方法情報、価格情報、及び購入方法情報を提供するサービスガイドにおいて、ネットワークでの携帯放送サービスのためのネットワークエンティティー間で生成されたサービスガイドを提供し、要請を受けたサービスガイドに関する情報を提供するサービスガイド又はサービスガイドフラグメント共有方法及びシステムを提供することにある。
【００２１】
本発明の他の目的は、移動端末からの購入アイテムに対する価格要請に応じて、サービスガイドに対するエンティティー間の共有方法に従って、価格情報又はこれに関連したサービスガイド情報を移動端末に提供するサービスガイド又はサービスガイドフラグメント共有方法及びシステムを提供することにある。
【課題を解決するための手段】
【００２２】
上記のような目的を達成するために、本発明の一態様によれば、携帯放送サービスをサポートする携帯放送システムにおけるサービスガイド又はサービスガイドフラグメントを共有する方法が提供される。上記方法は、上記サービスガイド又はサービスガイドフラグメントに対する要請を放送サービス供給管理部（ＢＳＰ-Ｍ）に送信する放送サービス供給クライアント（ＢＳＰ-Ｃ）と、上記ＢＳＰ-Ｍが上記サービスガイド又はサービスガイドフラグメントを有する場合には、上記サービスガイド又はサービスガイドフラグメントを上記ＢＳＰ-Ｃに送信する上記ＢＳＰ-Ｍと、を含むことを特徴とする。
【００２３】
本発明の他の態様によれば、携帯放送サービスをサポートする携帯放送システムにおけるサービスガイド又はサービスガイドフラグメントを共有するシステムが提供される。上記システムは、上記サービスガイド又はサービスガイドフラグメントに対する要請を放送サービス供給管理部（ＢＳＰ-Ｍ）に送信する放送サービス供給クライアント（ＢＳＰ-Ｃ）と、上記ＢＳＰ-Ｍが上記サービスガイド又はサービスガイドフラグメントを有する場合には、上記サービスガイド又はサービスガイドフラグメントを上記ＢＳＰ-Ｃに送信する上記ＢＳＰ-Ｍと、を含むことを特徴とする。
【発明の効果】
【００２４】
本発明によれば、携帯放送システムにおいて、サービスガイドを生成するために、ＳＧ-Ｇは、ＣＣ、ＢＳＡ、及びＢＳＭからサービスガイドの生成に必要なソースを受信する。提供された情報を用いて、ＳＧ-Ｇは、図２で説明したデータモデルに基づいて最終的なサービスガイドを生成する。このようなサービスガイドに関する情報が移動端末からＢＳＭに送信されたサービスガイド関連情報の要請に応じる応答であるとしても、ＢＳＡは、サービスに対する課金情報の生成に関する基本情報として、ＢＳＭ及びＢＳＡにより同一の方式で生成されたサービスガイドに関する最終情報を必要とする。このために、ＢＳＤ／Ａは、生成されたサービスガイドをＢＳＭ及びＢＳＡに提供するか、又は、必要であれば、ＢＳＭ又はＢＳＡは、サービスガイド情報に対する要請をＢＳＤ／Ａに送信し、対応する情報を受信することができる。
【００２５】
また、サービス供給過程において、移動端末から価格情報に対する要請を受信すると、ＢＳＭが関連した購入情報に対するサービスガイドフラグメントを提供すべき場合には、ＢＳＭは、対応する情報を移動端末に直接に送信するか、又はＢＳＤ／Ａから提供された対応する情報を受信し、受信された情報を移動端末に送信することができる。
【発明を実施するための最良の形態】
【００２６】
以下、本発明の好適な一実施形態を、添付図面を参照しつつ詳細に説明する。下記の説明において、明瞭性と簡潔性の観点から、本発明に関連した公知の機能や構成に関する具体的な説明が本発明の要旨を不明瞭にすると判断される場合には、その詳細な説明を省略する。
【００２７】
説明の便宜上、本発明は、非同期移動通信標準である３ＧＰＰ（3rd Generation Partnership Project）又は移動端末のアプリケーションの標準機構であるオープンモバイルアライアンス（Open Mobile Alliance：以下、“ＯＭＡ”と称する。）のＢＣＡＳＴで定義されているエンティティの名称を用いて説明している。しかしながら、このような標準及びエンティティの名称が本発明の範囲を限定するのではなく、本発明は、類似した技術的な構成を有するシステムに適用されることができる。
【００２８】
図２は、本発明が適用可能な携帯放送システムにおける放送サービスを受信するために使用されるサービスガイドのフォーマットを示す図である。図２は、ＯＭＡ ＢＡＣ ＢＣＡＳＴにおいて、放送サービスを移動端末に提供するために提案されたサービスガイドのデータモデルを示す。１つのサービスガイドは、それぞれの目的を有するフラグメントを含み、各フラグメントは、使用用途に従って４個のグループに区分される。
【００２９】
図２を参照すると、上記サービスガイドは、全サービスガイドの上位構成情報を提供する管理グループ２００と、サービスの加入及び購入情報を提供する供給グループ２１０と、サービス／コンテンツ及びサービススケジュールのようなサービスガイドのコア情報を提供するコアグループ２２０と、サービス／コンテンツに接続するための接続情報を提供するアクセスグループ２３０と、を含む。図２において、各フラグメントを接続する実線は、各フラグメント間の相互参照を示す。
【００３０】
移動端末がサービスガイドを受信するための基本情報を提供するグループである管理グループ２００は、サービスガイド伝達解析器（ＳＧＤＤ）フラグメント２０１を含む。サービスガイド伝達解析器２０１は、サービスガイドを構成する最小単位であるフラグメントを含んでいるサービスガイド伝達ユニット（ＳＧＤＵ）（図示せず）が位置する伝達セッションに関する情報を提供し、ＳＧＤＵに関するグルーピング情報及び通知メッセージを受信するために使用されるエントリーポイントを提供する。
【００３１】
供給グループ２１０は、サービス受信のための料金情報を提供するグループである。供給グループ２１０は、購入アイテムフラグメント２１１、購入データフラグメント２１２、及び購入チャネルフラグメント２１３を含む。購入アイテムフラグメント２１１は、サービス、コンテンツ、及び時間などのバンドルを提供することにより、ユーザが対応する購入アイテムに加入するか、又は対応する購入アイテムを購入するように助ける。購入データフラグメント２１２は、サービス又はサービスバンドルに関する価格情報及びプロモーション情報のような購入及び加入に関する詳細な情報を含む。上記購入チャネルフラグメント２１３は、加入又は購入のための接続情報を提供する。
【００３２】
コアグループ２２０は、サービス自体に関する情報を提供するグループである。コアグループ２２０は、サービスフラグメント２２１と、スケジュールフラグメント２２２と、コンテンツフラグメント２２３と、を含む。サービスフラグメント２２１は、全サービスガイドのコアとして、放送サービスに含まれているコンテンツの上位集合体であり、サービスコンテンツ、ジャンル、及びサービス位置情報を提供する。スケジュールフラグメント２２２は、ストリーミング、ダウンロードなどのようなサービスに含まれているコンテンツの時間情報を提供する。コンテンツフラグメント２２３は、放送コンテンツに関する詳細な説明、ターゲットユーザグループ、サービスエリア、及びジャンル情報を提供する。
【００３３】
アクセスグループ２３０は、アクセスフラグメント２３１とセッション解析フラグメント２３２とを含む。アクセスフラグメント２３１は、ユーザがサービスにアクセスするように接続関連情報を提供し、対応するアクセスセッションに関する伝達方法及びセッション情報などを提供する。セッション解析フラグメント２３２は、アクセスフラグメント２３１に含まれることもでき、ユニフォームリソース識別子（ＵＲＩ）フォーマットで位置情報を提供することができるので、移動端末は、対応するセッション解析情報を確認することができる。また、セッション解析フラグメント２３２は、対応するセッションに存在するマルチメディアコンテンツに関するアドレス情報及びコーデック情報などを提供する。
【００３４】
また、上記サービスガイド情報は、４個のグループの他に、サービス／コンテンツに対するプレビュー及びアイコンなどを提供するプレビューデータフラグメント２４１及び双方向データフラグメント２５１をさらに含むことができる。このように、サービスガイドを構成する最小単位を'フラグメント'と称する。
【００３５】
図２のサービスガイドは、図１のＳＧ-Ｇ１０９で生成され、供給グループ２１０の情報（以下、“供給情報”と称する。）は、図１のＳＧＳＳ１１４から提供される。サービスガイドに関する具体的な情報は、図２の上位データモデルに基づいて詳細内容及び値を提供するための様々な要素値及び属性値を介して定義されることができる。説明の便宜のために、ここには、上記サービスガイドのそれぞれのフラグメントに関する詳細な要素値及び属性値が含まれていないが、上記詳細な要素値及び属性値は、本発明を限定せず、本発明は、携帯放送サービスのためのサービスガイドの供給に当たり、必要によって定義されたすべての要素値及び属性値に適用されることができる。
【００３６】
図３は、サービスガイド構造及びインターフェースを介してサービスガイドデータを送信するためのプロトコルスタックを示す。すなわち、図３は、ＳＧコンポーネットＡ ３０３とＳＧコンポーネットＢ ３０４との間のＳＧインターフェース３０５を介してサービスガイドを伝達するためのプロトコルスタックを示す。データは、転送制御プロトコル／インターネットプロトコル（ＴＣＰ／ＩＰ）に基づいてハイパーテキスト転送プロトコル（ＨＴＴＰ）を介して伝達され、ＨＴＴＰにより定義されたＨＴＴＰ ＲＥＱＵＥＳＴ及びＨＴＴＰ ＰＯＳＴ方法を介して提供される。ＳＧインターフェース３０５は、図１に定義されたＳＧ-２ １０６及びＳＧ-４ １１５であることができる。また、端末１１９内のＳＧ-Ｃ １２０とＢＳＤ／Ａ１０８内のＳＧ-Ｄ １１０との間のインターフェースであるＳＧ-６ １１８にも同一に適用されることができる。図３において、ＳＧインターフェース３０５がＳＧ-２ ３０６である場合に、ＳＧ構成要素Ａ ３０３は、ＳＧ-Ｇ１０９であり、ＳＧ構成要素Ｂ ３０４は、ＳＧＡＳ１０５であり、これは、適用例に従って変わることができる。ＳＧインターフェース３０５がＳＧ-４ １１５である場合に、ＳＧ構成要素Ａ ３０３は、ＳＧ-Ｇ１０９であり、ＳＧ構成要素Ｂ ３０４は、ＳＧＳＳ１１４であり、これは、適用例に従って変わることもできる。ＳＧ-６ １１８を介したデータ送信のためにも、ＨＴＴＰ／ＴＣＰ／ＩＰのプロトコルスタックを使用することができる。
【００３７】
本発明の説明に先立って、本発明で使用されるメッセージスキーマテーブルについて説明する。＜表６＞において、ネームは、対応するメッセージを構成する要素値及び属性値の名称を示す。タイプは、対応するネームのタイプ（要素値又は属性値）を示す。要素値は、Ｅ１、Ｅ２、Ｅ３、及びＥ４のような値を有し、Ｅ１は、全メッセージに対する上位要素値を示し、Ｅ２は、Ｅ１の下位要素値を示し、Ｅ３は、Ｅ２の下位要素値を示し、Ｅ４は、Ｅ３の下位要素値を示す。属性値は、Ａで示され、Ａは、対応する要素の属性値を示す。例えば、Ｅ１の下のＡは、Ｅ１の属性値を示す。カテゴリーは、対応する要素値又は属性値が必須であるか又は任意であるかを判定するために使用され、必須の要素値又は属性値である場合には、Ｍの値を有し、任意の要素値又は属性値である場合には、Ｏの値を有する。カーディナリティー（Cardinality）は、要素間の関係を示し、０、０．．１、１、０．．ｎ、１．．ｎの値を有する。ここで、０は、任意の関係を意味し、１は、必須の関係を意味し、ｎは、複数の値を使用されることができることを意味する。例えば、０．．ｎは、対応するメッセージが要素値を有していないこともあり、ｎ個の要素値を有することもあることを意味する。説明は、対応する要素値又は属性値の意味を示し、データタイプは、対応する要素値又は属性値に対するデータタイプを示す。
【００３８】
【表６】
2009525668.tif 000005
【００３９】
図４は、図３で説明したＳＧインターフェース３０５を介してＳＧ構成要素Ａ ３０３とＳＧ構成要素Ｂ ３０４との間のサービスガイドフラグメントを送信する過程を示すシグナリング図である。図４において、ＳＧ構成要素Ａ ３０３は、ＳＧ-Ｇ１０９であり、ＳＧ構成要素Ｂ ３０４は、ＳＧＡＳ１０５又はＳＧＳＳ１１４である。ステップ４０１で、サービスガイド又はサービスガイドフラグメントの生成を完了した後に、ＳＧ構成要素Ａ ３０３は、対応するデータをＨＴＴＰ ＰＯＳＴメッセージを通じてＳＧ構成要素Ｂ ３０４に伝達する。ステップ４０２で、ＳＧ構成要素Ｂ ３０４は、受信に対する応答をする。ステップ４０１のメッセージは、＜表７Ａ＞及び＜表７Ｂ＞に示され、ステップ４０２のメッセージは、＜表８＞に示される。
【００４０】
【表７Ａ】
2009525668.tif 000006
【００４１】
【表７Ｂ】
2009525668.tif 000007
【００４２】
【表８】
2009525668.tif 000008
【００４３】
図５は、図３で説明したＳＧインターフェースを介してＳＧ構成要素とＳＧ構成要素Ｂとの間のサービスガイドフラグメントを送信する過程を示すシグナリング図である。図５において、ＳＧ構成要素Ａ ３０３は、ＳＧＡＳ１０５又はＳＧＳＳ１１４であり、ＳＧ構成要素Ｂ ３０４は、ＳＧ-Ｇ１０９である。ステップ５０１で、ＳＧ構成要素Ａ ３０３は、サービスガイド又はサービスガイドフラグメントをＨＴＴＰ ＲＥＱＵＥＳＴメッセージを通じてＳＧ構成要素Ｂ ３０４に送信する。生成された全てのサービスガイド又はサービスガイドフラグメントを要請する場合に、ＳＧ構成要素Ａ ３０３は、ＳＧＲｅｑｕｅｓｔＩｄ及びＥｎｔｉｔｙＡｄｄｒｅｓｓだけを送信し、特定のサービス、コンテンツ、又は購入アイテムに関連したフラグメントが要請される場合に、ＳＧ構成要素Ａ ３０３は、ＧｌｏｂａｌＳｅｒｖｉｃｅＩｄ、ＧｌｏｂａｌＣｏｎｔｅｎｔＩｄ、又はＰｕｒｃｈａｓｅＩｔｅｍＩｄを要請メッセージとともに伝達する。対応するサービスガイド又はそのフラグメントが要請される場合に、ＳＧ構成要素Ｂ ３０４は、ステップ５０２で、対応する要請に応答する。グローバルサービスＩＤ、グローバルコンテンツＩＤ、又は購入アイテムＩＤが要請メッセージに含まれている場合に、ＳＧ構成要素Ｂ ３０４は、対応するコンテンツに関連したすべてのフラグメントを応答メッセージとともに伝達する。そうでない場合に、ＳＧ構成要素Ｂ ３０４は、生成された最新のすべてのサービスガイド又はサービスガイドフラグメントを伝達する。ステップ５０１のメッセージは、下記＜表９Ａ＞及び＜表９Ｂ＞に示され、ステップ５０２のメッセージは、下記＜表１０Ａ＞及び＜表１０Ｂ＞に示される。
【００４４】
【表９Ａ】
2009525668.tif 000009
【００４５】
【表９Ｂ】
2009525668.tif 000010
【００４６】
【表１０Ａ】
2009525668.tif 000011
【００４７】
【表１０Ｂ】
2009525668.tif 000012
【００４８】
図６乃至図１０を参照して、本発明による端末で特定の購入アイテムに関する価格情報を要請する実施形態について説明する。
【００４９】
図６は、ＯＭＡ ＢＣＡＳＴでサービス供給に対するメカニズムを示す図である。
【００５０】
コンテンツ供給者ブロック６０５は、放送サービス（ＢＣＡＳＴサービス）のプロバイダーであり、上記ＢＣＡＳＴサービスは、従来の音声／映像放送サービス、ファイル（音楽ファイル又はデータファイル）ダウンロードサービスなどを含むことができる。
【００５１】
ＢＣＡＳＴサービスアプリケーションブロック６０６は、コンテンツ供給者６０５から提供されたＢＣＡＳＴサービスのデータをＢＣＡＳＴネットワークに適合したフォーマットに処理することにより、ＢＣＡＳＴサービスデータを生成し、携帯放送案内に必要な標準化されたメタデータを生成する役割を担当する。
【００５２】
ＢＣＡＳＴサービス分配／適応部６０７は、ＢＣＡＳＴサービスアプリケーション６０６から提供されたＢＣＡＳＴサービスデータを送信するベアラーを設定し、ＢＣＡＳＴサービスの送信スケジュールを決定し、携帯放送案内を生成する役割を担当する。ＢＣＡＳＴサービス分配／適応部６０７は、放送サービスを提供することができる放送分配システム（ＢＤＳ）６１１及び双方向通信をサポートする連動ネットワーク６１０に接続される。
【００５３】
ＢＣＡＳＴ加入管理部６０８は、ＢＣＡＳＴサービスの受信のための加入情報及びサービス供給情報と、ＢＣＡＳＴサービスを受信する端末に関する装置情報とを管理する。特に、ＢＣＡＳＴ加入管理部６０８は、放送サービス供給管理（ＢＳＰ-Ｍ）部６０１を含む。ＢＳＰ-Ｍ６０１は、ユーザの加入情報に従ってユーザの課金を管理し、これに関する情報を提供し、携帯放送サービスに対する請求（Billing）をサポートする。ＢＳＰ-Ｍ６０１は、加入要請とユーザからの課金及び個人情報要請に応じる報告をＳＰ-７ ６０３又はＳＰ-８ ６０４を介して伝達する。
【００５４】
ＢＤＳサービス分配部６０９は、受信された全てのＢＣＡＳＴサービスを放送チャネル又は双方向チャネルを介して分配し、ＢＤＳ６１１のタイプによって存在することもあり、存在しないこともあるエンティティである。ＢＤＳ６１１は、ＢＣＡＳＴサービスを送信するためのネットワークであり、例えば、ＤＶＢ-Ｈ、３ＧＰＰ ＭＢＭＳ、及び３ＧＰＰ２ ＢＣＭＣＳの放送ネットワークであることができる。
【００５５】
連動ネットワーク６１０は、１対１にＢＣＡＳＴサービスを送信するか、又はＢＣＡＳＴサービスの受信に関連した制御情報及び付加情報を双方向に交換し、例えば、既存のセルラーネットワークであることができる。
【００５６】
移動端末６２０は、ＢＣＡＳＴサービスを受信することができる端末であり、端末の性能に従ってセルラーネットワークと接続することができる機能を有する。移動端末６２０がセルラーネットワークと接続することができる端末であると仮定する。
【００５７】
移動端末６２０内の放送サービス供給クライアント（ＢＳＰ-Ｃ）６０２は、ＢＣＡＳＴサービスに対する加入及び使用に関する報告を担当する。ＢＳＰ-Ｃ６０２は、サービスガイドから加入及び購入に関する供給情報を抽出するか、又は、必要に応じて、上記情報をフィルタリングすることができる。
【００５８】
図６でのサービス供給（ＳＰ）は、ＢＣＡＳＴサービスに対する加入及び加入されたサービスの購入を担当する。また、ＳＰは、購入に関連した付加情報を提供することができる。ＳＰ-７ ６０３及びＳＰ-８ ６０４についての説明は、＜表１１＞のようである。
【００５９】
【表１１】
2009525668.tif 000013
【００６０】
図７は、ＢＳＰ-ＭとＢＳＰ-Ｃとの間の双方向通信のための双方向チャネルであるＳＰ-７インターフェースを介して情報を要請するか、又は伝達するのに使用されるプロトコルスタックを示す。すなわち、図７は、ＢＳＰ-Ｃ６０２とＢＳＰ-Ｍ６０１との間のＳＰ-７インターフェース７０５を介してデータを送信するためのプロトコルスタックを示す。情報の要請又は伝達は、ＴＣＰ／ＩＰでＨＴＴＰを介して伝達され、ＨＴＴＰ要請が使用される。必要であれば、ＨＴＴＰ ＰＯＳＴ又はＨＴＴＰが支援する他のすべての方式が使用されることができる。
【００６１】
図８は、ＢＳＰ-Ｃが価格情報の要請をＢＳＰ-Ｍに送信する場合に対するシグナリング図である。ユーザは、移動端末で受信されたサービスガイドからサービス／コンテンツ／スケジュールなどを確認し、関連した購入アイテムを決定する。ステップ８０１で、上記決定された購入アイテムに関する価格情報が含まれていない場合に、ユーザのＢＳＰ-Ｃ６０２は、対応する購入アイテムに関する価格情報の要請をＢＳＰ-Ｍ６０１に送信し、これに対する要請メッセージは、下記＜表１２Ａ＞及び＜表１２Ｂ＞に示される。ステップ８０２で、ＢＳＰ-Ｍ６０１は、上記要請に応じて、価格情報をＢＳＰ-Ｃ６０２に伝達する。この際には、価格情報だけが単純に提供されるか、又は関連したサービスガイドフラグメントが提供されることができる。ＢＳＰ-Ｍ６０１が要請メッセージを受諾して価格情報を送信する場合に対するステップ８０２の応答メッセージは、下記＜表１３＞に示し、ＢＳＰ-Ｍ６０１が要請メッセージを拒絶する場合に対する応答メッセージは、下記＜表１４＞に示す。
【００６２】
【表１２Ａ】
2009525668.tif 000014
【００６３】
【表１２Ｂ】
2009525668.tif 000015
【００６４】
【表１３】
2009525668.tif 000016
【００６５】
【表１４】
2009525668.tif 000017
【００６６】
図９は、ＢＳＭがサービスガイド又はサービスガイドフラグメントを有している場合におけるＢＳＰ-Ｃからの価格要請に応じた応答メッセージを伝達する過程を示すシグナリング図である。ステップ９０１での要請メッセージ及びステップ９０４での応答メッセージは、図８で説明した＜表１２Ａ＞、＜表１２Ｂ＞、＜表１３＞、及び＜表１４＞に示す。
【００６７】
ステップ９０１で、ＢＳＰ-Ｃ６０２は、購入アイテムに対する価格要請をＢＳＰ-Ｍ６０１に送信する。価格情報Ｐｒｉｃｅ_ｉｎｆｏだけが提供される場合に、ＢＳＰ-Ｍ６０１は、ステップ９０４で、対応する情報をＢＳＰ-Ｃ６０２に送信する。購入アイテムに関連したサービスガイドフラグメントを移動端末に送信すべき場合には、ステップ９０２で、ＢＳＰ-Ｍ６０１がＳＧフラグメント要請をＢＳＭブロック内のＳＧＳＳ１１４に送信すると、ＳＧＳＳ１１４は、ステップ９０３で、関連したＳＦフラグメントをＢＳＰ-Ｍ６０１に伝達する。その後、ＢＳＰ-Ｍ６０１は、ステップ９０４で、対応するフラグメントを応答メッセージとともに伝達する。
【００６８】
図１０は、価格情報要請に応じてＳＧフラグメントを伝達すべき場合には、ＢＳＭが要請された購入アイテムと同一の情報を有していないか、又はサービスガイド又はサービスガイドフラグメントを有していない場合には、対応するフラグメントに対する要請をＢＳＤ／Ａに送信し、対応する情報を移動端末に提供する過程を示すシグナリング図である。
【００６９】
ステップ１００１での要請メッセージ及びステップ１００６での応答メッセージは、図８で説明した＜表１２Ａ＞、＜表１２Ｂ＞、＜表１３＞、及び＜表１４＞に示され、ステップ１００３及びステップ１００４のメッセージは、図６で説明した＜表９Ａ＞、＜表９Ｂ＞、＜表１０Ａ＞、及び＜表１０Ｂ＞に示される。移動端末内のＢＳＰ-Ｃ６０２は、ステップ１００１で、価格情報要請をＢＳＰ-Ｍ６０１に送信し、ＢＳＰ-Ｍ６０１は、ステップ１００２で、対応する購入アイテムに対するＳＧフラグメント要請を同一のＢＳＭブロック内のＳＧＳＳ１１４に送信する。要請された購入アイテムに対する購入アイテムＩＤと同一のコンテンツがないか、又はＳＧＳＳが最新のサービスガイド又はサービスガイドフラグメントを有していない場合に、ＢＳＭブロック内のＳＧＳＳ１１４は、ステップ１００３で、対応するフラグメントに対するＳＧフラグメント要請をＳＧ-Ｇ１０９に送信する。ＳＧＳＳ１１４は、生成されたサービスガイド又はサービスガイドフラグメントのすべてを要請することができる。ＳＧ-Ｇ１０９は、ステップ１００４で、上記要請されたＳＧフラグメントをＢＳＭブロック内のＳＧＳＳ１１４に伝達する。ＢＳＭブロック内のＳＧＳＳ１１４は、ステップ１００５で、ＳＧフラグメントをＢＳＰ-Ｍ６０１に伝達し、ステップ１００６で、ＳＧフラグメントを移動端末に最終的に提供する。
【００７０】
以上、本発明を具体的な実施形態を参照して詳細に説明してきたが、本発明の範囲及び精神を逸脱することなく様々な変形が可能であるということは、当該技術分野における通常の知識を持つ者には明らかであり、本発明の範囲は、上述の実施形態に限定されるべきではなく、特許請求の範囲の記載及びこれと均等なものの範囲内で定められるべきである。
【図面の簡単な説明】
【００７１】
【図１】サービスガイドを移動端末に伝達する一般的な携帯放送システムの構成例を示す図である。
【図２】本発明に適用されるＯＭＡ ＢＣＡＳＴでのサービスガイドに対するデータモデルを示す図である。
【図３】本発明の実施形態によるＯＭＡ ＢＣＡＳＴでのサービスガイドを送信するためのインターフェース及びプロトコルスタックの構成を示す図である。
【図４】本発明の実施形態によるＯＭＡ ＢＣＡＳＴでのサービスガイドフラグメントを送信する過程を示すシグナリング図である。
【図５】本発明の実施形態によるＯＭＡ ＢＣＡＳＴでのサービスガイドフラグメントの要請及び送信を行う過程を示すシグナリング図である。
【図６】本発明に適用されるＯＭＡ ＢＣＡＳＴでのサービス供給に対するメカニズムを示す図である。
【図７】本発明の実施形態によるＯＭＡ ＢＣＡＳＴでのサービス供給情報を送信するために使用されるプロトコルスタックの構成を示す図である。
【図８】本発明の実施形態によるＯＭＡ ＢＣＡＳＴでのサービス供給に対するシグナリング図である。
【図９】本発明の実施形態による端末からの価格情報の要請に応じてＢＳＭブロック内の情報を伝達する過程を示すシグナリング図である。
【図１０】本発明の実施形態による端末からの価格情報の要請に応じてＢＳＭがＢＳＤ／Ａから端末に伝達された情報を提供する過程を示すシグナリング図である。
【符号の説明】
【００７２】
６０１  放送サービス供給管理（ＢＳＰ−Ｍ）部
６０２  放送サービス供給クライアント（ＢＳＰ−Ｃ）
６０３  ＳＰ−７
６０４  ＳＰ−８
６０５  コンテンツ供給者ブロック
６０６  ＢＣＡＳＴサービスアプリケーションブロック
６０７  ＢＣＡＳＴサービス分配／適応部
６０８  ＢＣＡＳＴ加入者管理部
６０９  ＢＤＳサービス分配部
６１０  双方向ネットワーク
６１１  放送分配システム
６２０  端末
【図１】
2009525668.tif 000018
【図２】
2009525668.tif 000019
【図３】
2009525668.tif 000020
【図４】
2009525668.tif 000021
【図５】
2009525668.tif 000022
【図６】
2009525668.tif 000023
【図７】
2009525668.tif 000024
【図８】
2009525668.tif 000025
【図９】
2009525668.tif 000026
【図１０】
2009525668.tif 000027
【国際調査報告】
2009525668.tif 000028
2009525668.tif 000029